(57)【要約】      （修正有）【課題】自転車または電気車両のサドルを使用する快適さを改善し、さらには抗菌効果を達成する、バイオゲル構造物を組み入れたバイクサドルを提供する。【解決手段】バイオゲル構造物を組み入れたバイクサドルは、サドル１００内に配置された、発泡材料層２と、発泡材料層の上に置かれ、発泡材料層の表面を覆う表層３とを含む。発泡材料層内には、間隔を置いて複数の貫通孔２１が形成される。発泡材料層の下面には、バイオゲル層４が形成される。発泡材料層の複数の貫通孔内には、複数のバイオ・ゲル・ブロック５がそれぞれ充填される。バイオ・ゲル・ブロックの各々は、表層の下側と接触する上端部、およびバイオゲル層と一体化して接続される下端部を有する。バイオゲル層は、快適な乗車体験を乗り手に提供し、抗菌効果も達成する。【選択図】図２
0003217442.tif 000002
【実用新案登録請求の範囲】
【請求項１】
発泡材料層と、前記発泡材料層の上に置かれ、前記発泡材料層の表面を覆う表層とを備えるバイク（ｂｉｋｅ）サドルであって、
前記発泡材料層内に、間隔を置いて配置された複数の貫通孔が形成されており、
前記発泡材料層の下面にバイオゲル層が形成されており、
前記表層の下側と接触する上端部、および前記バイオゲル層と一体化して形成される下端部をそれぞれ有する複数のバイオ・ゲル・ブロックが、それぞれ前記発泡材料層の前記複数の貫通孔に充填されていることを特徴とする、
バイクサドル。
【請求項２】
前記発泡材料層は、下面に搭載された底部材料を備える前記下面を有することを特徴とする、請求項１に記載のバイクサドル。
【請求項３】
前記発泡材料層と前記表層の間に振動吸収材料層が配置されることを特徴とする、請求項１に記載のバイクサドル。
【請求項４】
前記貫通孔は、円筒状貫通孔又は切頭円錐貫通孔のいずれかであることを特徴とする、請求項１に記載のバイクサドル。
【請求項５】
前記複数のバイオ・ゲル・ブロックは、前記発泡材料層の領域全体にわたり分布することを特徴とする、請求項１に記載のバイクサドル。
【請求項６】
前記サドルは、乗り手の座骨に対応するように適合され、かつ座骨圧支持ゾーンとして画成される２つの部分を有し、前記複数のバイオ・ゲル・ブロックは、前記座骨圧支持ゾーンに対応する、前記発泡材料層の部分内に分布することを特徴とする、請求項１に記載のバイクサドル。
【請求項７】
前記サドルは、乗り手の大腿部に対応するように適合され、かつ脚接触ゾーンとして画成される部分を有し、前記複数のバイオ・ゲル・ブロックは、前記脚接触ゾーンに対応する、前記発泡材料層の部分内に分布することを特徴とする、請求項１に記載のバイクサドル。
【請求項８】
前記サドルは、前端部から後端部に延在し、かつ中心線接続ゾーンとして画成される中央領域を有し、前記複数のバイオ・ゲル・ブロックは、前記中心線接続ゾーンに対応する、前記発泡材料層の部分内に分布することを特徴とする、請求項１に記載のバイクサドル。
【考案の詳細な説明】
【技術分野】
【０００１】
本考案は、サドル構造物に関し、詳細にはバイオゲル構造物を組み入れたバイク（ｂｉｋｅ）サドルに関する。
【背景技術】
【０００２】
自転車または電気車両のサドルまたは座席クッションの公知の構造設計では、振動をあまり受けないように、および自転車または電気車両に乗っている際に振動を受けないように、ユーザを保護するために、ならびに乗る快適さを改善するために、発泡材料層、スポンジ層、メモリフォーム層、または振動および衝撃の一部を吸収するためにサドルもしくは座席クッションの下側に可撓性のある、もしくは柔軟な材料を搭載するのが一般的である。
異なる製品設計では、振動および衝撃を吸収するための材料として役立つように、サドルまたは座席クッション内に、全範囲固体材料の形のゲル層が提供される。
【０００３】
しかしながら、サドルまたは座席クッションをしばらくの間使用した後、クッション材料に伴って、湿りおよびカビの増殖、細菌の繁殖、ならびに悪臭という問題がしばしば発生する。これまで、そのような問題を効果的に取り扱うための解決策がまったく提案されてこなかった。
さらに、全範囲固体材料の形のゲル層を使用することにより、望ましくないことには、サドルまたは座席クッションの全重量が増大する場合がある。さらに、そのような全範囲ゲル材料は、一般に、人体と直接接触する側で通気および冷却に不利である。
【考案の概要】
【考案が解決しようとする課題】
【０００４】
上記を考慮して、本考案の主要な目的は、自転車または電気車両のサドルを使用する快適さの改善および抗菌効果の達成が期待される、バイオゲル構造物を組み入れたバイクサドルを提供することである。
【課題を解決するための手段】
【０００５】
上記の目的を達成するために、本考案は、サドル内に配置された、発泡材料層と、発泡材料層の上に置かれ、発泡材料層の表面を覆う表層とを備える。発泡材料層内に、間隔を置いて配置された複数の貫通孔が形成される。発泡材料層の下面にバイオゲル層が形成される。複数のバイオ・ゲル・ブロックが、発泡材料層の複数の貫通孔内にそれぞれ充填される。バイオ・ゲル・ブロックの各々が、表層の下側と接触する上端部、およびバイオゲル層と一体化して接続される下端部を有する。
【０００６】
従来の一体型設計のゲル層と比較して、本考案は、製品重量を低減するのに役立ち、乗り手がサドル上に座っているとき、優れた通気効果を現す構造設計を提供する。
【０００７】
本考案は、可撓性、空気呼吸、および振動吸収という点で、バイオゲル層の重要な特徴を提供する。換言すれば、本考案は、細菌繁殖を抑制する能力、乗り手の局所的血液循環に優れた効果を提供する能力、ならびに適切な可撓性および柔軟性、冷却、および通気を特徴として有する能力を特徴とするサドルを提供する。
【０００８】
本考案では、たとえば、サドルの全領域に、または座骨圧支持ゾーン、脚接触ゾーン、もしくは中心線接続ゾーンに対応する局所的部分に、バイオ・ゲル・ブロックを分散させることができ、その結果、本考案は、車両に乗る乗り手を局所領域内の圧迫から解放する効果を提供する。
【０００９】
本考案は、添付図面を参照して、本考案の好ましい実施形態についての以下の説明を読むことにより、当業者に明らかになるであろう。
【図面の簡単な説明】
【００１０】
【図１】本考案の第１の実施形態による、バイオゲル構造物を組み入れたバイクサドルを示す側面図である。
【図２】図１の線Ａ−Ａに沿って得られる断面図である。
【図３】本考案による、サドル内のバイオ・ゲル・ブロック分布の第１の例を示す概略図である。
【図４】本考案による、サドル内のバイオ・ゲル・ブロック分布の第２の例を示す概略図である。
【図５】本考案による、サドル内のバイオ・ゲル・ブロック分布の第３の例を示す概略図である。
【図６】本考案による、サドル内のバイオ・ゲル・ブロック分布の第４の例を示す概略図である。
【図７】本考案の第２の実施形態による、バイオゲル構造物を組み入れたバイクサドルを示す断面図である。
【図８】本考案の第３の実施形態による、バイオゲル構造物を組み入れたバイクサドルを示す断面図である。
【考案を実施するための形態】
【００１１】
図１および図２をひとまとめにして参照する。図１は本考案によるバイオゲル構造物を組み入れたバイクサドルを例示する側面図である。図２は、図１の線Ａ−Ａに沿って得られる断面図である。
これらの図に示すように、サドル１００は、支持フレーム１が搭載される底部を有する。支持フレーム１は、直立支柱１１に結合される。サドル１００を、自転車、電気車両、自動車、または他の用途で使用するためのサドルまたは座席クッションとすることが可能である。
【００１２】
図２に示すように、サドル１００は、一般に発泡材料層２と、発泡材料層２の上に置かれ、発泡材料層２の表面を覆う表層３とを備える。発泡材料層２は、ポリウレタン（ＰＵ）、エチレン酢酸ビニル（ＥＶＡ）、ポリプロピレン（ＰＰ）、熱可塑性ゴム（ＴＰＲ）、ポリ塩化ビニル（ＰＶＣ）の中から選択された材料から作られる。
【００１３】
発泡材料層２はまた、熱可塑性ポリウレタン（ＴＰＵ）から作ることが可能である。材料は、発泡ユニットの複数が接着剤で一緒に粘着的に接合されるように配置された、または発泡ユニットの隣接するものが熱で発泡ユニットの表面を溶融することにより一緒に接続されるように配置された、複数の発泡ユニットから形成される。
発泡ユニットの各々を、発泡によって発泡ユニットの内部に複数の気孔が形成されるような発泡工程により形成することで、軽量および高弾性を特徴とする材料層が形成される。
【００１４】
本考案の構造的配置では、互いに間隔を置いて配置された複数の貫通孔２１を中に有する発泡材料層２が形成される。貫通孔２１の各々は、円柱状または円筒状の孔として構造化され、これは、貫通孔２１の各々の底部開口部および最上部開口部が同じ直径を有することを意味する。
【００１５】
発泡材料層２の下面にバイオゲル層４が形成される。発泡材料層２の中に形成された複数の貫通孔２１内に、それぞれ複数のバイオ・ゲル・ブロック５が充填される。バイオ・ゲル・ブロック５の各々は、表層３の下側と接触し、かつ表層３の下側を支持する上端部、およびバイオゲル層５と一体化して接続される下端部を有する。
【００１６】
バイオゲル層４およびバイオ・ゲル・ブロック５は、それぞれゲル材料から形成される弾性体である。たとえば、ゲル材料は、ポリウレタンベースのゲル、シリコーンベースのゲル、ＰＶＣベースのゲル、またはアクリルベースのゲルとすることが可能である。
【００１７】
本考案では、バイオゲル層４およびバイオ・ゲル・ブロック５を作り上げるゲル材料は、抗菌材料を添加される、または抗菌材料でコートされ、被覆される。抗菌材料は、抗菌微生物を含んでもよく、その結果、抗菌微生物により生成された揮発性化合物が、空気を通して、細菌の増殖を抑制し、悪臭を分解する効果をもたらす場合がある。
【００１８】
さらに、抗菌材料は、たとえば、銀のナノ粒子を含んでもよい。銀のナノ粒子は、バイオゲル層４およびバイオ・ゲル・ブロック５の中に添加される、またはバイオ・ゲル・ブロック５の表層としてコートされる。銀のナノ粒子はまた、抗菌効果を提供する。
【００１９】
さらに、抗菌材料は、たとえば、遠赤外線放射効果および陰イオン解放効果をバイオ・ゲル・ブロック５に提供するために、遠赤外セラミック材料または遠赤外ナノ材料を含んでもよい。細菌がサドルの中で生きているとき、赤外線が細菌の活動を弱める場合があり、陰イオンが、細菌により吸収されたとき、細菌の死の原因となる場合がある。乗り手の体が遠赤外放射バイオ・ゲル・ブロックと接触するとき、局所的血液循環を促す効果が得られる場合がある。
【００２０】
上述のサドル構造物を、既存のバイクサドルの表面全体にぴったり合うように、サドルの覆いまたはカバーとしての形で配置できる。あるいは、直立支柱１１とさらに結合して自転車のサドルの役割を果たすように、図１に示す支持フレーム１に搭載するために、発泡材料層２の下面に底部材料６を直接搭載してもよい。
【００２１】
図３は、本考案による、サドル内のバイオ・ゲル・ブロック分布の第１の例を示す概略図である。
図面に示すように、サドル１００の表面全体は、表面全体にわたり一様分布方式で貫通孔２１を具備する。換言すれば、バイオ・ゲル・ブロック５は、発泡材料層２の領域全体に分散されるように配置される。
【００２２】
図４は、本考案による、サドル内のバイオ・ゲル・ブロック分布の第２の例を示す概略図である。
図面に示すように、サドル１００は、サドル上に乗り手が座る座骨にそれぞれ対応する領域である、２つの座骨圧支持ゾーンＰ１を有する。発泡材料層２の中の、座骨圧支持ゾーンＰ１に対応する部分に、複数のバイオ・ゲル・ブロック５が配置される。
【００２３】
図５は、本考案による、サドル内のバイオ・ゲル・ブロック分布の第３の例を示す概略図である。
図面に示すように、サドル１００は、サドル１００の前端部から背後まで延在する中央領域として画成される中心線接続ゾーンＰ２を有する。発泡材料層２の中の、中心線接続ゾーンＰ２に対応する部分に、複数のバイオ・ゲル・ブロック５が配置される。
【００２４】
図６は、本考案による、サドル内のバイオ・ゲル・ブロック分布の第４の例を示す概略図である。
図面に示すように、サドル１００は、乗り手の大腿部の内側に対応し、かつ脚接触ゾーンＰ３として画成される、局所的領域を有する。発泡材料層２の中の、脚接触ゾーンＰ３に対応する部分に、複数のバイオ・ゲル・ブロック５が配置される。
【００２５】
図７は、本考案の第２の実施形態による、バイオゲル構造物を組み入れたバイクサドルを示す断面図である。
本実施形態は、第１の実施形態に類似する構造を備え、類似の構成要素および部品は、一貫性を持たせるために、同じ参照番号で示されている。本実施形態では、発泡材料層２と表層３の間に、振動吸収材料層７が配置される。たとえば、振動吸収材料層７は、メモリフォーム層、または発泡層もしくはスポンジ層のうち、一方とすることが可能である。メモリフォームは、ポリウレタンポリマーから作られる材料であり、粘着性と弾性の両方を特徴とし、その結果、外力によりメモリフォームが変形を受けるとき、メモリフォームは、衝撃の運動エネルギーを吸収するために、徐々に元に戻る場合がある。
【００２６】
図８は、本考案の第３の実施形態による、バイオゲル構造物を組み入れたバイクサドルを示す断面図である。
本実施形態では、発泡材料層２が形成され、その内部に、複数の切頭円錐貫通孔２１ａを有する。すなわち、切頭円錐貫通孔２１ａはそれぞれ、縮径を有する最上部開口部、および拡大した開口部を有する底部開口部を有する。あるいは、切頭円錐孔２１ａは、縮径を有する底部開口部、および拡径を有する最上部開口部をそれぞれ有する、逆になった切頭円錐貫通孔であってもよい。
【００２７】
本考案の好ましい実施形態を参照して、本考案について説明したが、添付の実用新案登録請求の範囲により規定されることが意図される本考案の範囲を逸脱することなく、さまざまな修正および変更が行われてもよいことが当業者には明らかである。
【符号の説明】
【００２８】
１  支持フレーム
２  発泡材料層
３  表層
４  バイオゲル層
５  バイオ・ゲル・ブロック
６  底部材料
７  振動吸収材料層
１１  直立支柱
２１  貫通孔
２１ａ  切頭円錐貫通孔
１００  サドル
Ｐ１  座骨圧支持ゾーン
Ｐ２  中心線接触ゾーン
Ｐ３  脚接触ゾーン
【図１】
0003217442.tif 000003
【図２】
0003217442.tif 000004
【図３】
0003217442.tif 000005
【図４】
0003217442.tif 000006
【図５】
0003217442.tif 000007
【図６】
0003217442.tif 000008
【図７】
0003217442.tif 000009
【図８】
0003217442.tif 000010